(57)【要約】      （修正有）【課題】頭部に骨伝導スピーカを確実に押し付けることができるとともに見栄えのよいアイウエアを提供する。【解決手段】アイウエア１００は、フレーム１１０と、一対のテンプル１２０と、を備える。少なくとも一方のテンプルは、フレームに接続される前端部１２１と、テンプルの後端を規定する後端部１２２と、前端部及び後端部の間に配置されて弾性変形可能な弾性変形部１２３と、を有する。後端部には骨伝導スピーカ１２４が取り付けられ、前端部には骨伝導スピーカ用の音声信号を受信する無線通信部が組み込まれる。【選択図】図４
2018056698.tif 000002
【特許請求の範囲】
【請求項１】
フレームと、
一対のテンプルであって、少なくとも一方の前記テンプルは、前記フレームに接続される前端部と、前記テンプルの後端を規定する後端部と、前記前端部及び前記後端部の間に配置されて弾性変形可能な弾性変形部と、を有する、一対のテンプルと、を備え、
前記後端部には骨伝導スピーカが取り付けられ、前記前端部には前記骨伝導スピーカ用の音声信号を受信する無線通信部が組み込まれる、アイウエア。
【請求項２】
前記前端部には前記無線通信部用のバッテリがさらに組み込まれ、前記バッテリは前記無線通信部よりも前記テンプルの後端側に配置される、請求項１に記載のアイウエア。
【請求項３】
前記無線通信部と前記骨伝導スピーカとを接続する配線をさらに備え、前記配線は前記弾性変形部内に配置される、請求項１又は２に記載のアイウエア。
【請求項４】
前記弾性変形部は、
前記テンプルの長手方向に沿って延在するばね性を有する芯材と、
前記芯材を覆う弾性部材と、を備える、請求項１〜３のいずれか１項に記載のアイウエア。
【請求項５】
前記弾性部材は、前記前端部及び前記後端部の輪郭から連続的に延在する輪郭を有する、請求項４に記載のアイウエア。
【請求項６】
前記後端部は、前記弾性変形部に対して、前記テンプルの長手方向に沿って規定される回転軸回りに複数の回転角の位置で保持可能である、請求項１〜５のいずれか１項に記載のアイウエア。
【請求項７】
前記一対のテンプルの両方が前記前端部、前記後端部及び前記弾性変形部を備え、
一方の前記テンプルの無線通信部と他方の前記テンプルの無線通信部とが無線通信可能である、請求項１〜６のいずれか１項に記載のアイウエア。
【請求項８】
前記弾性変形部及び前記後端部は変形部アセンブリを構成し、前記変形部アセンブリは前記前端部に対して取り外し可能である、請求項１〜７のいずれか１項に記載のアイウエア。
【請求項９】
前記骨伝導スピーカは前記後端部に対して取り外し可能である、請求項１〜８のいずれか１項に記載のアイウエア。
【請求項１０】
前端部と、後端部と、前記前端部及び前記後端部の間に配置されて弾性変形可能な弾性変形部と、を備え、
前記後端部には骨伝導スピーカが取り付けられ、前記前端部には前記骨伝導スピーカ用の音声信号を受信する無線通信部が組み込まれる、アイウエア用テンプル。
【発明の詳細な説明】
【技術分野】
【０００１】
本発明は、骨伝導スピーカを組み込んだアイウエアに関する。
【背景技術】
【０００２】
従来、メガネのテンプルの先端（モダンの部分）に骨伝導スピーカを配置したメガネが知られている（例えば、特許文献１参照）。このメガネでは、外部の音声出力装置からの音声信号が骨伝導スピーカに出力される結果、メガネの装着者に音が伝達される。
【先行技術文献】
【特許文献】
【０００３】
【特許文献１】特開２００７−７２０１５号公報
【発明の概要】
【発明が解決しようとする課題】
【０００４】
このメガネは骨伝導ユニットの位置調整部を備えている。しかしながら、当該位置調整部は、装着者の頭部に合わせて金属製の芯材を変形させているに過ぎず、骨伝導ユニットを適切な圧力で装着者の頭部に押し付けることができない。また、骨伝導ユニットをバネ部で保持する構造は見栄えが悪い。
【０００５】
本発明は、上記課題に鑑みてなされたものであり、頭部に骨伝導スピーカを確実に押し付けることができるとともに見栄えのよいアイウエアを提供することを目的とする。
【課題を解決するための手段】
【０００６】
本発明の一態様は、フレームと、一対のテンプルであって、少なくとも一方のテンプルは、フレームに接続される前端部と、テンプルの後端を規定する後端部と、前端部及び後端部の間に配置されて弾性変形可能な弾性変形部と、を有する、一対のテンプルと、を備え、後端部には骨伝導スピーカが取り付けられ、前端部には骨伝導スピーカ用の音声信号を受信する無線通信部が組み込まれる、アイウエアを提供する。
【０００７】
本発明の他の態様におけるアイウエアでは、前端部には無線通信部用のバッテリがさらに組み込まれ、バッテリは無線通信部よりもテンプルの後端側に配置される。
【０００８】
本発明の他の態様におけるアイウエアでは、無線通信部と骨伝導スピーカとを接続する配線をさらに備え、配線は弾性変形部内に配置される。
【０００９】
本発明の他の態様におけるアイウエアでは、弾性変形部は、テンプルの長手方向に沿って延在するばね性を有する芯材と、芯材を覆う弾性部材と、を備える。
【００１０】
本発明の他の態様におけるアイウエアでは、弾性部材は、前端部及び後端部の輪郭から連続的に延在する輪郭を有する。
【００１１】
本発明の他の態様におけるアイウエアでは、後端部は、弾性変形部に対して、テンプルの長手方向に沿って規定される回転軸回りに複数の回転角の位置で保持可能である。
【００１２】
本発明の他の態様におけるアイウエアでは、一対のテンプルの両方が前端部、後端部及び弾性変形部を備え、一方のテンプルの無線通信部と他方のテンプルの無線通信部とが無線通信可能である。
【００１３】
本発明の他の態様におけるアイウエアでは、弾性変形部及び後端部は変形部アセンブリを構成し、変形部アセンブリは前端部に対して着脱可能である。
【００１４】
本発明の他の態様におけるアイウエアでは、骨伝導スピーカは後端部に対して着脱可能である。
【００１５】
また、本発明の他の態様は、前端部と、後端部と、前端部及び後端部の間に配置されて弾性変形可能な弾性変形部と、を備え、後端部には骨伝導スピーカが取り付けられ、前端部には骨伝導スピーカ用の音声信号を受信する無線通信部が組み込まれる、アイウエア用テンプルを提供する。
【発明の効果】
【００１６】
本発明の態様によれば、頭部に骨伝導スピーカを確実に押し付けることができるとともに見栄えのよいアイウエアを提供することができる。
【図面の簡単な説明】
【００１７】
【図１】本発明の一実施形態に係るアイウエアの構造を概略的に示す斜視図である。
【図２】本発明の一実施形態に係るアイウエアの構造を概略的に示す上面図である。
【図３】本発明の一実施形態に係るアイウエアの構造を概略的に示す側面図である。
【図４】本発明の一実施形態に係るアイウエアの一方のテンプルの構造を概略的に示す透視側面図である。
【図５】一具体例に係る回転機構の構造を概略的に示す透視側面図である。
【図６】一具体例に係る回転機構の構造を概略的に示す部分拡大透視斜視図である。
【図７】一具体例に係る回転機構の構造を概略的に示す透視側面図である。
【図８】一具体例に係る回転機構の構造を概略的に示す部分拡大透視斜視図である。
【図９】本発明の一実施形態に係るアイウエアの制御系のブロック図である。
【発明を実施するための形態】
【００１８】
以下、添付の図面を参照しつつ本発明の一実施形態を説明する。以下の実施形態はあくまでも例示であり、以下に明示しない種々の変形例や技術の適用を排除しない。本発明は、その趣旨を逸脱しない範囲で様々に変形して実施可能である。また、図面は模式的なものであり、その寸法や比率等は実際の寸法や比率等に必ずしも一致しない。図面相互間においても互いの寸法の関係や比率が異なる部分が含まれ得る。
【００１９】
図１は、本発明の一実施形態に係るアイウエアの一例すなわちメガネ１００の構造を概略的に示す斜視図である。このメガネ１００は、フレーム１１０と、フレーム１１０の背面に取り付けられた一対のテンプル１２０、１２０と、を備える。本実施形態では、メガネ１００の例として、例えばフレーム１１０全体がアセテート等の合成樹脂材料から形成されるメガネを説明する。
【００２０】
フレーム１１０の材料は上記材料に特に制限されない。フレーム１１０は、例えば、セルロイド系樹脂、ポリカーボネート系樹脂、ＡＢＳ系樹脂、ポリアミド系樹脂、ナイロン系樹脂、アクリル系樹脂などの合成樹脂材料から形成されてもよく、また、洋白、銅合金、チタン合金、アルミ合金、ステンレス鋼などの金属材料から形成されてもよい。また、フレーム１１０は、上記以外にも、カーボン繊維やガラス繊維などの無機系繊維材を樹脂に混合する材料から形成されてもよい。
【００２１】
図１は、フレーム１１０の背面に対してテンプル１２０、１２０が直立する展開位置に配置された場面を示している。ここで、図１において、メガネ１００の左右方向をｘ軸方向、メガネ１００の前後方向であってｘ軸方向に直交する方向をｙ軸方向、メガネ１００の高さ方向であってｘ軸方向及びｙ軸方向に直交する方向をｚ軸方向に設定する。図１以降の図面についても同様である。
【００２２】
フレーム１１０は、一対のレンズ１１１、１１１と、レンズ１１１をそれぞれ支持する一対のリム１１２、１１２と、リム１１２、１１２のｘ軸方向の内端同士を連結する眉間部（又はブリッジ）１１３と、眉間部１１３よりもｚ軸方向に下側でリム１１２、１１２に形成された一対のノーズパッド１１４、１１４と、各リム１１２のｘ軸方向の外端に形成された一対のヨロイ１１５、１１５と、を備える。レンズ１１１は、透明なレンズであってもよく、着色されたカラーレンズであってもよい。なお、リム１１２、１１２の一部又は全部が省略されてもよく、また、ノーズパッド１１４、１１４は、金属フレームによってノードパッドが支持されるいわゆるクリングス仕様であってもよい。
【００２３】
各ヨロイ１１５の背面にはテンプル１２０が丁番１１６を介して取り付けられる。周知のとおり、丁番１１６の揺動軸はｚ軸方向に沿って規定されており、この丁番１１６の働きで、各テンプル１２０は、フレーム１１０の背面から直立して当該テンプル１２０がｙ軸方向に沿って延在する前述の展開位置と、フレーム１１０の背面に対して折り畳まれて当該テンプル１２０がｘ軸方向にフレーム１１０の背面に沿って延在する折畳位置と、の間で揺動可能である。
【００２４】
図２は、本発明の一実施形態に係るメガネ１００の構造を概略的に示す上面図であり、図３は、その側面図である。図２及び図３を併せて参照すると、各テンプル１２０は、テンプル１２０の前端を規定するととともにヨロイ１１５の背面に前述の丁番１１６によって取り付けられる前端部１２１と、テンプル１２０の後端を規定する後端部１２２と、前端部１２１及び後端部１２２の間に配置される弾性変形部１２３と、を有している。
【００２５】
図１及び図２から明らかなように、各テンプル１２０において、後端部１２２のｘ軸方向の内面に骨伝導スピーカ１２４が取り付けられる。骨伝導スピーカ１２４は、圧電セラミックスが有する機械的固有共振現象を利用した圧電スピーカであり、メガネ１００の装着者の耳の近傍の軟骨に音声振動を伝達することによって装着者に音を聞かせることができる。骨伝導スピーカ１２４の構造は周知であるので、ここでの詳細な説明は省略する。なお、他の実施形態では、骨伝導スピーカ１２４は後端部１２２に対して着脱可能であってもよい。
【００２６】
図４は、本発明の一実施形態に係るメガネ１００の一方のテンプル１２０の構造を概略的に示す部分透視側面図である。図４に示すように、前端部１２１には、外部装置（図示せず）との間の無線通信を制御する基板１２５と、基板１２５に電力を供給する電源すなわちバッテリ１２６と、が組み込まれる。基板１２５は例えばフレキシブルプリント基板である。本実施形態では、バッテリ１２６が、より小さい重量の基板１２５よりもテンプル１２０の後端側に配置される。
【００２７】
基板１２５と骨伝導スピーカ１２４との間は一対の配線１２７、１２７で接続される。後述するように、外部装置からの音声信号は基板１２５でアナログ信号に変換され、変換されたアナログ信号は増幅され、その後、増幅されたアナログ信号は配線１２７、１２７を介して骨伝導スピーカ１２４に出力される。骨伝導スピーカ１２４ではアナログ信号に応じた振動が生成され、この振動がメガネ１００の装着者の骨に伝達されることによって、装着者は音声信号の音を聞くことができる。
【００２８】
前端部１２１は、前述のフレーム１１０と同様に、アセテート等の合成樹脂材料から形成されており、所定の剛性を有している。基板１２５やバッテリ１２６は前端部１２１内に埋め込まれればよい。前端部１２１の下面には電源スイッチ１２８及びコネクタ１２９が配置される。電源スイッチ１２８は、バッテリ１２６からの電力供給のオンオフを制御することができる。コネクタ１２９は、バッテリ１２６を充電するための例えばマイクロＵＳＢコネクタと接続可能なコネクタである。
【００２９】
後端部１２２は、前述のフレーム１１０や前端部１２１と同様に、アセテート等の合成樹脂材料から形成されており、所定の剛性を有している。前述したように、後端部１２２の内面に骨伝導スピーカ１２４が取り付けられている。本実施形態では、骨伝導スピーカ１２４は後端部１２２に対して固定されているが、他の実施形態では、骨伝導スピーカ１２４は後端部１２２に対して着脱可能であってもよい。
【００３０】
弾性変形部１２３は、一端で前端部１２１の後端面に取り付けられるとともに他端で後端部１２２に支持される芯材１３０と、芯材１３０を覆うとともに前端部１２１及び後端部１２２の輪郭から連続的に延在する輪郭を有する弾性部材１３１と、を備える。芯材１３０はテンプル１２０の概ね長手方向に沿って延在する。本実施形態では、弾性変形部１２３は前端部１２１の後端面に対して固定されているが、他の実施形態では、弾性変形部１２３及び後端部１２２から形成される変形部アセンブリが前端部１２１に対して着脱可能であってもよい。
【００３１】
芯材１３０には、ばね性を有する例えばばね用ステンレス鋼線（ＪＩＳ  Ｇ４３１４）が用いられる。一方で、弾性部材１３１には例えばゴム等の弾性樹脂材料が用いられる。本実施形態では、弾性部材１３１には芯材１３０よりも変形しやすい弾性樹脂材料が用いられる。芯材１３０は、例えば弾性部材１３１内に形成された貫通孔（図示せず）内に配置されており、前述の配線１２７、１２７は、弾性部材１３１のための貫通孔の上下に形成された別の貫通孔（図示せず）内にそれぞれ配置される。
【００３２】
本実施形態では、テンプル１２０の長手方向に沿った回転軸Ａ回りの複数の回転角の位置で後端部１２２が弾性変形部１２３に対して保持されることが可能である。図５は、この後端部１２２の回転を実現する回転機構１４０の構造を概略的に示す部分拡大透視図である。図５に示すように、回転機構１４０は弾性変形部１２３及び後端部１２２に組み込まれる。回転機構１４０は、弾性変形部１２３の後端に固定される第１部材１５０と、後端部１２２の前端に固定されて第１部材１５０と噛み合う第２部材１６０と、を備える。
【００３３】
図６は、一具体例に係る回転機構１４０の構造を概略的に示す部分拡大透視斜視図である。図６を併せて参照すると、第１部材１５０は円筒状の円筒体１５１を備えている。円筒体１５１の中心軸は回転軸Ａに一致する。円筒体１５１の中心軸に沿った方向に規定される円筒体１５１の一端面１５２は、弾性変形部１２３の後端面内に埋め込まれて固定されている。固定には例えば接着剤等が用いられる。円筒体１５１の他端面１５３は後端部１２２の前端面内に配置されている。ただし、円筒体１５１は後端部１２２には固定されておらず、後述するように、第２部材１６０すなわち後端部１２２は第１部材１５０すなわち弾性変形部１２３に対して変位可能である。
【００３４】
第１部材１５０の円筒体１５１の一端面１５２から円筒体１５１内の円柱空間には、例えば円筒体１５１の中心軸と同一の中心軸を有する円筒状の突出部１５４が突出している。突出部１５４の先端には、突出部１５４の中心軸周りに一定の間隔で例えば三角形状の複数の第１歯１５５が形成されている。
【００３５】
その一方で、第２部材１６０は、第１部材１５０内の円柱空間に配置される円筒体１６１を備えており、円筒体１６１は、円筒体１５１の突出部１５４と同一の中心軸及び同一の外径を有している。円筒体１５１の突出部１５４に対向する円筒体１６１の一端には、円筒体１６１の中心軸周りに複数の第１歯１５５と同一の間隔で例えば三角形状の複数の第２歯１６２が形成されている。複数の第２歯１６２は複数の第１歯１５５に噛み合っている。
【００３６】
図６から明らかなように、円筒体１６１の外周面の一部が切り欠かれており、円筒体１６１は例えば一対の支持体１６３、１６３を備える。円筒体１６１内には例えばコイルばね等の弾性体１６４が配置されており、弾性体１６４の一端は円筒体１６１内の端面１６５に受け止められ、弾性体１６４の他端は、円筒体１５１の他端面１５３に受け止められている。一対の支持体１６３、１６３は、弾性体１６４を円筒体１６１内に保持することができる必要最小限の領域のみに形成されればよい。
【００３７】
一対の支持体１６３、１６３の先端は、円筒体１５１の他端面１５３に形成された一対の開口部１５６、１５６を通じてそれぞれ後端部１２２内に突出しており、一対の支持体１６３、１６３の先端はその突出した部分で後端部１２２に固定されている。固定にあたって例えば接着剤等が用いられる。各開口部１５６は、円筒体１６１の中心軸周りに例えば９０°未満の所定の角度範囲にわたって円周方向に延在している。
【００３８】
弾性体１６４は、円筒体１５１の他端面１５３から円筒体１６１の先端を遠ざけるように弾性復元力を発揮する。こうした弾性復元力の働きによって、第２部材１６０の弾性体１６４の複数の第２歯１６２は第１部材１５０の突出部１５４の複数の第１歯１５５に押し付けられつつ噛み合っている。このとき、後端部１２２の前端面は弾性変形部１２３の後端面に当接している。こうして後端部１２２は弾性変形部１２３に対して回転軸Ａ回りの所定の回転角の位置に保持される。
【００３９】
装着者が、後端部１２２を指で保持して、弾性体１６４の弾性復元力に抗して後端部１２２を回転軸Ａに沿って後方に変位させると、図７及び図８に示すように、後端部１２２の前端面は弾性変形部１２３の後端面から離れる。同時に、円筒体１６１の複数の第２歯１６２は突出部１５４の複数の第１歯１５５との噛み合いから解除される。こうして弾性変形部１２３に対する後端部１２２の回転軸Ａ回りの回転が許容される。このとき、弾性体１６４にはさらなる弾性復元力が蓄積される。
【００４０】
装着者が、回転軸Ａ回りに後端部１２２を所定の回転角だけ回転させた後、後端部１２２を弾性変形部１２３に向かって元の位置に戻すと、円筒体１６１の複数の第２歯１６２は突出部１５４の複数の第１歯１５５と再び噛み合う。こうして後端部１２２は、回転軸Ａ回りに弾性変形部１２３に対して前述の回転角の位置とは異なる回転角の位置に保持されることができる。前述したように、開口部１５６は円筒体１６１の中心軸周りに所定の角度範囲にのみ延在しているので、後端部１２２が弾性変形部１２３に対して３６０°回転することはない。
【００４１】
なお、弾性変形部１２３の芯材１３０や配線１２７、１２７は、円筒体１５１や円筒体１６１のそれぞれの中心軸に沿って形成された孔（図示せず）を貫通するように配置されればよい。なお、配線１２７、１２７にはある程度の長さの余裕が確保されるので、後端部１２２が回転軸Ａ回りで弾性変形部１２３に対して回転したとしても、配線１２７、１２７が切断されることはない。
【００４２】
なお、本実施形態では、上記で説明した一方のテンプル１２０の構造を他方のテンプル１２０も同様に備えている。ただし、他方のテンプルの１２０の構造は一方のテンプル１２０の構造とは左右対称である。
【００４３】
図９は、本発明の一実施形態に係るメガネ１００の制御系のブロック図である。メガネ１００では、一方のテンプル１２０がマスタを構成し、他方のテンプル１２０がスレーブを構成する。例えばマスタ側のテンプル１２０は、それぞれ基板１２５上に形成される制御部２００、音声信号生成部２０１、無線通信部２０２及びマイク２０３を備える。基板１２５にはバッテリ１２６が接続され、音声信号生成部２０１には骨伝導スピーカ１２４が接続される。
【００４４】
制御部２００は、例えばプロセッサやメモリを含んでおり、テンプル１２０での各種の処理を実行する。具体的には、プロセッサが、例えば不揮発性メモリであるメモリに格納されたアプリケーションプログラム等からの命令を読み込むことによって各種の処理を実行する。制御部２００には音声信号生成部２０１、無線通信部２０２及びマイク２０３がそれぞれ接続される。
【００４５】
無線通信部２０２は、外部装置（図示せず）との間で音声信号を送受信することができる。音声信号の送受信は、例えばＢｌｕｅｔｏｏｔｈ（登録商標）等の近距離用無線通信規格に従って確立される。無線通信部２０２はまた、他方のテンプル１２０の無線通信部２０２との間でもデータ通信を確立することができる。このデータ通信には、例えば音声信号の通信や電源のオフに関する命令の通信等が含まれる。
【００４６】
音声信号生成部２０１はＤ／Ａ変換器及び増幅器の機能を有している。具体的には、音声信号生成部２０１は、外部装置から受信した音声信号をアナログ信号に変換する。変換されたアナログ信号が増幅される。その後、音声信号生成部２０１から増幅されたアナログ信号が骨伝導スピーカ１２４に出力される。なお、外部装置には、例えば携帯電話端末や音楽再生装置、その他の情報処理端末等が含まれる。
【００４７】
本実施形態では、マスタのテンプル１２０及びスレーブのテンプル１２０の両方に無線通信部２０２が設けられているが、外部装置からの音声信号の受信は例えばマスタのテンプル１２０の無線通信部２０２のみで行われる。受信した音声信号はマスタの無線通信部２０２からスレーブの無線通信部２０２に送信されればよい。また、例えばいずれか一方のテンプル１２０の電源スイッチ１２８がオフにされると、他方のテンプル１２０の電源スイッチ１２８もオフにされるように、無線通信部２０２を通じて命令が通信される。
【００４８】
マイク２０３は装着者の音声を取得する。取得された音声の音声信号は、増幅されてデジタル信号に変換され、制御部２００に入力される。マイク２０３は、例えば制御部２００に対して音声入力による命令を行うために用いられる。また、マイク２０３は、外部装置である例えば携帯電話端末を介した通話の際のハンズフリーのマイクとして用いられる。マイク２０３で取得される音声にはノイズキャンセリングが実施されてもよい。なお、スレーブのテンプル１２０にはマイク２０３は設けられなくてもよい。
【００４９】
次に、本実施形態のメガネ１００を使用する場面を想定する。装着者が両テンプル１２０、１２０の電源スイッチ１２８、１２８をオンにすると、メガネ１００は装着者の例えば携帯電話端末と通信を開始する。携帯電話端末上で音楽が再生されると、音声信号がマスタ側のテンプル１２０の無線通信部２０２を通じて受信される。音声信号生成部２０１によって変換・増幅されたアナログ信号が骨伝導スピーカ１２４に出力され、装着者にはその音楽が聞こえる。
【００５０】
携帯電話端末との通信が終了すると、装着者はいずれか一方のテンプル１２０の電源スイッチ１２８をオフにする。このオフの処理にともなって、一方のテンプル１２０の無線通信部２０２から他方のテンプル１２０の無線通信部２０２に電源オフの命令が送信され、他方のテンプル１２０の電源スイッチ１２８もオフにされる。こうしてメガネ１００での処理は終了する。以上の処理は、例えば携帯電話端末での通話の際も同様である。
【００５１】
以上のようなメガネ１００によれば、テンプル１２０の前端部１２１及び後端部１２２の間に弾性変形可能な弾性変形部１２３が配置されるので、弾性変形部１２３の弾性変形によって頭部に骨伝導スピーカ１２４を確実に押し付けることができる。その結果、メガネ１００の装着者には高い音質の音を聞かせることができる。また、無線通信部２０２が確立される基板１２５やバッテリ１２６は前端部１２１に組み込まれるので、アイウエアとしての見栄えを維持することができる。
【００５２】
また、テンプル１２０内で、より重量の大きいバッテリ１２６が、より重量の小さい基板１２５よりも後方に配置されることによって、テンプル１２０の重心をより後方に配置することができる。その結果、テンプル１２０の重心が装着者の耳に近づくことができる。従って、バッテリ１２６が基板１２５よりも前方に配置される場合に比べて、メガネ１００の前方へのズレ落ちを確実に回避することができる。また、重量物であるバッテリ１２６がテンプル１２０側にあることによって、メガネ１００の重心に近い位置に重量物が配置されることになるため、メガネ１００の装着時の安定感が増す。
【００５３】
また、両方のテンプル１２０、１２０のそれぞれに基板１２５及びバッテリ１２６をレイアウトして、テンプル１２０、１２０同士の間で無線通信によりデータを送受信することができるので、両テンプル１２０、１２０の接続のための配線をフレーム１１０に配置する必要がない。従って、様々なバリエーションの形状のフレーム１１０に共通にテンプル１２０、１２０を用いることができるので、装着者の嗜好に応じたフレーム１１０を選択することができる。
【００５４】
さらに、他の実施形態では、骨伝導スピーカ１２４が後端部１２２に対して着脱可能であり、又は、弾性変形部１２３及び後端部１２２から形成される変形部アセンブリが前端部１２１に対して着脱可能である。この場合、装着者の嗜好やメガネ１００を利用する状況、用途に応じて、骨伝導スピーカ１２４を取り外したり、また、変形部アセンブリを他の変形部アセンブリに交換したりすることができる。その結果、メガネ１００のデザインや設計の選択の幅を広げることができる。
【００５５】
また、本実施形態のメガネ１００には後端部１２２の回転機構１４０が組み込まれている。この回転機構１４０によれば、後端部１２２は、弾性変形部１２３に対して回転軸Ａ回りで回転して所定の回転角の位置で保持可能である。その結果、装着者の頭部の形状に合わせて後端部１２２を回転させることができるので、後端部１２２に取り付けられた骨伝導スピーカ１２４を装着者の頭部により確実に押し付けることができる。
【００５６】
以上のようなメガネ１００では、配線１２７、１２７は、前述の別の貫通孔ではなく、芯材１３０のための貫通孔内に配置されてもよい。この場合、配線１２７、１２７は、芯材１３０の周囲に巻き付けられてもよく、また、芯材１３０に接着されてもよい。その他、芯材１３０のための貫通孔と配線１２７、１２７のための貫通孔が接続されていてもよい。
【００５７】
以上のように本発明について説明したが、本発明の技術的範囲は上記実施形態に記載の範囲には限定されない。上記実施形態に多様な変更又は改良を加えることが可能であることが当業者に明らかである。そのような変更又は改良を加えた実施形態も本発明の技術的範囲に含まれ得ることが特許請求の範囲の記載から明らかである。
【符号の説明】
【００５８】
１００    アイウエア（メガネ）
１１０    フレーム
１２０    テンプル
１２１    前端部
１２２    後端部
１２３    弾性変形部
１２４    骨伝導スピーカ
１２６    バッテリ
１３０    芯材
１３１    弾性部材
２０２    無線通信部
Ａ        回転軸
【図１】
2018056698.tif 000003
【図２】
2018056698.tif 000004
【図３】
2018056698.tif 000005
【図４】
2018056698.tif 000006
【図５】
2018056698.tif 000007
【図６】
2018056698.tif 000008
【図７】
2018056698.tif 000009
【図８】
2018056698.tif 000010
【図９】
2018056698.tif 000011